(57)【要約】【課題】主にパイプと継手の構造材を使用して組み立てられる椅子とし、少ない部品点数で回転部を構成しえる安価に製造可能な回転板付き椅子を実現する。【解決手段】主にパイプと継手の構造材を使用して組み立てられる椅子において、座板フレームには鉛直に複数の脚を配置し、前記座板フレーム上には所定大きさの円孔を設けた座板を載置固定し、該脚間には、軸受が挿着可能で、円孔の中心直下に配置される受け口を直角に起立させた中央継手を配置した脚部補強部を横架させた椅子本体と、前記円孔よりやや小さい外径の回転板を有し、該回転板の下面中央に回転軸を垂下させた回転部と、回転軸の他端を挿着可能な軸受とからなり、回転部の回転軸の一方端は回転板に固定し、他端は軸受を介して受け口に回転自在に軸着させた。【選択図】　　　　図１
2004141513.tif 000002
【特許請求の範囲】
【請求項１】
主にパイプと継手の構造材を使用して組み立てられる椅子において、
座板フレームには鉛直に複数の脚を配置し、前記座板フレーム上には所定大きさの円孔を設けた座板を載置固定し、該脚間には、軸受が挿着可能で、円孔の中心直下に配置される受け口を直角に起立させた中央継手を配置した脚部補強部を横架させた椅子本体と、前記円孔よりやや小さい外径の回転板を有し、該回転板の下面中央に回転軸を垂下させた回転部と、回転軸の他端を挿着可能な軸受とからなり、回転部の回転軸の一方端は回転板に固定し、他端は軸受を介して受け口に回転自在に軸着させたことを特徴とする回転板付き椅子。
【請求項２】
回転部の回転軸の一方端は中央継手の受口に固定し、他端は軸受を介して回転板に回転自在に配設したことを特徴とする請求項１記載の回転板付き椅子。
【請求項３】
脚部補強部の上方であって、受け口の直上位置に、貫通孔を設けた継手が配置された回転軸支承部を横架させ、回転軸は貫通孔を挿通させて該回転軸を支承することを特徴とする請求項１又は２記載の回転板付き椅子。
【請求項４】
背もたれ位置と該背もたれ位置とほぼ直角位置の脚を座板フレームの高さ位置より所定高さ上方に延長部を延設し、その延長部にＬ字形の手すりを交差方向で配設して背もたれ部を形成したことを特徴とする請求項１、２、３のいずれかに記載の回転板付き椅子。
【請求項５】
回転板は、その上面を座板上面の高さと同じか又はやや上方に突出させて配置したことを特徴とする請求項１、２、３、４のいずれかに記載の回転板付き椅子。
【発明の詳細な説明】
【０００１】
【発明の属する技術分野】
本発明は、介護用品として使用されることの多い回転椅子、シャワー用回転椅子等に適用される回転板付き椅子に関し、更に言えば、主にパイプと継手の構造材を使用して組み立てられる椅子における回転板付き椅子の技術に関する。
【０００２】
【従来の技術】
従来のこの種椅子では、図９のように回転機構としてターンテーブル４１を椅子１ａの座面３ｂに配置する形態のものがあり、２枚の円盤をすべり材を介して向かいあわせて回転する該ターンテーブル４１を、主にパイプと継手の構造材を使用して組み立てられた椅子１ａの座面３ｂ上に配置して、人が腰掛けた状態でその体を回転できるようにした椅子がある。
また、座面を回転させる椅子としては、特許文献１、特許文献２がある。
【０００３】
【特許文献１】
実用新案登録第３０８３８３５号公報（第４−９頁、図１）
【特許文献２】
実用新案登録第３０６３８６２号公報（第６−１３頁、図１、２、３）
【０００４】
従来のターンテーブルを使用したような回転機構は、構成部品点数を多く使用するため製造コストが高価になる問題点がある。
また、被介護者、身体障害者等は、身体の大きさや疾病の症状、身体的障害の程度が個々人で相違しているため、個々人の条件に応じて改造する必要がある。改造する場合は、パイプと継手の構造材を使用して組み立てられた椅子本体は比較的簡単に変更可能であるものの、回転機構の径寸法を変更する場合は、ターンテーブル自体が一体製品である為、各個人に合わせて変更できず、いろいろな径寸法のターンテーブルを用意する必要があり、コスト面で無理があった。
そこで、本発明はこれらの問題点に鑑み創案されたもので、主にパイプと継手の構造材を使用して組み立てられる椅子とし、少ない部品点数で回転部を構成しえる安価に製造可能な回転板付き椅子の提供を目的としている。
【０００５】
【課題を解決するための手段】
上記課題を解決するため、本発明の請求項１に係る回転板付き椅子は、
主にパイプと継手の構造材を使用して組み立てられる椅子において、
座板フレームには鉛直に複数の脚を配置し、前記座板フレーム上には所定大きさの円孔を設けた座板を載置固定し、該脚間には、軸受が挿着可能で、円孔の中心直下に配置される受け口を直角に起立させた中央継手を配置した脚部補強部を横架させた椅子本体と、前記円孔よりやや小さい外径の回転板を有し、該回転板の下面中央に回転軸を垂下させた回転部と、回転軸の他端を挿着可能な軸受とからなり、回転部の回転軸の一方端は回転板に固定し、他端は軸受を介して受け口に回転自在に軸着させたことを特徴としている。
【０００６】
また、請求項２の発明においては、請求項１記載の回転部の回転軸の一方端は中央継手の受口に固定し、他端は軸受を介して回転板に回転自在に配設したことを特徴としている。
従前のパイプと継手の構造材を使用して組立てる椅子では、座面に人が座った場合に、その重み（荷重）から脚同士の間隔が外側へ広がるので、この広がることを防止する事と脚間の補強を兼ねる目的で各脚間にパイプを横架して脚部補強部を設けている（図９参照）。上記請求項１、２の発明は、前記目的の脚部補強部における中央継手を利用し、該中央継手に軸受けを介して回転軸を軸着した回転板付きの椅子を実現している。
【０００７】
請求項３の発明においては、請求項１又は２記載の脚部補強部の上方であって、受け口の直上位置に、貫通孔を設けた継手が配置された回転軸支承部を横架させ、回転軸は貫通孔を挿通させて該回転軸を支承することを特徴としている。回転軸が短い場合は不具合の発生はほとんどないが、長い回転軸を使用した場合は回転軸が傾いたり倒れると回転部の回転が不安定になる。請求項３の発明は、脚部補強部より上方に回転軸支承部を設けて回転軸の傾きや倒れ等が原因で回転部の回転が不安定になるのを防止している。
【０００８】
請求項４の発明においては、請求項１、２、３のいずれかに記載の回転板付き椅子は、背もたれ位置と該背もたれ位置とほぼ直角位置の脚を座板フレームの高さ位置より所定高さ上方に延長部を延設し、その延長部にＬ字形の手すりを交差方向で配設して背もたれ部を形成したことを特徴としている。
請求項４の発明では、Ｌ字形の手すりを配置して座面上における開放空間を広く取り、乗り移りの際の行動範囲の自由度を増大させている。
【０００９】
請求項５の発明においては、請求項１、２、３、４のいずれかに記載の回転板は、その上面を座板上面の高さと同じか又はやや上方に突出させて配置したことを特徴としている。回転板の上面と座板上面の高さを同じ高さに設定した場合は、回転板と座板間に段差がなくなるので、人は乗り移りがスムーズにできる。
【００１０】
【発明の実施の形態】
図１〜８は本発明の回転板付き椅子１に関し、この回転板付き椅子１の第１実施例を図１、図４により説明する。
回転板付き椅子１の椅子本体１ａは、主として外径が約２８ｍｍぐらいの樹脂被覆鋼管（以下パイプという）と継手を使用して組み立てられており、上面に座板３を載置する座板フレーム３１には鉛直に複数の脚５を配置し、該各脚５間には脚部補強部６を水平に横架し、　さらにその上方には回転軸支承部７を水平に横架し、脚５は上方に延設して背もたれ部２ａが形成されている。また、椅子本体１ａに組み込まれる回転部４ａは、脚部補強部６に軸受４７を介して回転軸４２が回転自在に挿着されている。
【００１１】
次に、本発明を詳細に説明する。椅子本体１ａの座板フレーム３１は、対角線上で対向する二つの継手３２に水平方向に一対のＬ字形パイプ３１ａを方形に接着固定して組立てられており、座板フレーム３１の四隅位置に配置した二つの継手３２と継手３３及び継手３４により、鉛直方向に４本のパイプの脚５が配置されている。また、床面と接する各脚５の下端には、滑り止め用のゴムキャップ５１が装着されている。
椅子本体１ａの座板３は、樹脂製板で製作されていて、人が腰掛ける上面側にはクッション性を有する発泡材が貼着され（図示省略）、該座板３は座板フレーム３１の適宜位置に固定した取付具３７により座板フレーム３１上に載置固定されている。また、座板３のほぼ中央には、所定の大きさの円孔３ａが設けられている。
椅子本体１ａの４本の脚５間には、荷重で脚５同士の間隔が外側に広がるのを防止し、かつ脚５間を堅固に補強する目的で、座板フレーム３１の下方位置に脚部補強部６が配置されている。
この脚部補強部６は、図４のように、円孔３ａの中心直下に対応する位置に受け口６４を直角に起立させて十字形に形成された中央継手６２を持ち、該脚部補強部６は、脚５に固定される第１継手６１と中央継手６２に下パイプ６５を介して対角線方向に連結して、脚５間に水平に横架されている。
これは、人が座っている状態から起立しようとした時に、足が座面下に潜り込む姿勢になることが不可欠であるので、足が置かれる椅子の前面側の床と座面との下空間が確保されるようなパイプの連結の仕方で、出来るだけ足の邪魔にならないようにしている。
【００１２】
回転部４ａは、図４のように、回転板４と該回転板４の下面中央部から垂下させた回転軸４２で概略構成されている。この回転板４は、前述した座板３と同じ材料で製造され、円孔３ａへ干渉することなく回転可能に、円孔３ａよりやや小さい外径に形成されている。
回転板４の下面中心位置には、中央に受け口４９を垂下させた十字形の継手４８を配置し、該継手４８にパイプ４６を水平方向に接着固定し、そのパイプ４６の端面にキャップ４４ａを嵌着し、パイプ４６へ固定した取付具４４でビス止め固定して、回転板４を固定している。
また、この回転軸４２は、図５のように、脚部補強部６における中央継手６２の受け口６４に挿着可能な外径のパイプを使用し、その一方端４２ａは継手４８の受け口４９に接着固定し、やや縮径された他端４３は軸受４７を介して受け口６４に回転自在に軸着されている。
回転部４ａは、剛性のある鉄板等で作った回転板４の下面中央部に鉄パイプ等で製造した回転軸４２を垂下させて溶接等で固着しても良いが、回転部４ａを継手とパイプで構成した場合は、製品を軽量化でき、その上、回転板４は利用者の大きさに対応して簡単に変更し易いのでより好ましい。
回転軸４２の一方端４２ａは、図５のように、受け口６４に挿着可能な外径に形成し、回転軸４２の縮径された他端４３は、脚部補強部６における中央継手６２の受け口６４に挿着された軸受４７に回転自在に挿着し、回転部４ａが回転可能になっている。　また、回転軸４２の一方端４２ａは、図６のように、脚部補強部６の中央継手６２の受け口６４に接着固定し、他端４３は継手４８の受け口４９に挿入された軸受４７に回転自在に挿着して回転部４ａを回転可能にしても良い。
【００１３】
また、軸受４７は、図４、図５のように、受け口６４の開口部に掛止可能に上端部にフランジ４７ａを設けるのが好ましい。さらに、図示は省略したが、このＰＯＭ樹脂の軸受の代わりにベアリングを利用しても良いし、受け口６４の内面に例えば、摩擦係数が低く耐磨耗性が良いテフロンシート等を貼り付けて軸受けとしてもよい。
【００１４】
また、回転板付き椅子１の第１実施例を図示した図１、図４、第３実施例を図示した図３、第４の実施例を図示した図７は、回転軸の全長を長くした場合で、脚５間には回転軸支承部７が配置されている。
この回転軸支承部７は、図４〜６のように、脚部補強部６の上方であって、脚部補強部６の中央継手６２の受け口６４の直上位置に貫通孔７３を設けた継手７２を持ち、脚部５に固定される第２継手７１と継手７２に上パイプ７５を介して対角線に連結して脚５間に水平に横架させ、前記貫通孔７３に回転軸４２を挿通して該回転軸４２を垂直に支承している。回転軸４２の全長を長くしても回転軸支承部７によって回転軸４２が倒れ込むのを防止し、回転ブレの発生を防ぐため回転軸４２の回転をスムーズにできる。　この回転軸支承部７は、座板フレーム３１にできるだけ近づけて横架させるのが望ましい。
また、第２実施例を図示した図２、第５実施例を図示した図８のように、回転軸４２の全長を短くした場合は、回転軸４２は倒れ込まないので、回転軸支承部７を取り付けなくても良い。
【００１５】
第５実施例を図示した図８は、脚部補強部６のもう一つの実施例であり、この脚部補強部６は、図８のように円孔３ａの中心直下に対応する位置に受け口６４を向けて配置した十字形の中央継手６２ａをもち、左右両側前後脚５間を継手とパイプで連結した連結部５２の中間同士を、下パイプ６５で中央継手６２ａと連結し脚５間に水平に横架している。
【００１６】
第１実施例を図示した図１、図４、第４の実施例を図示した図７、第５実施例を図示した図８のように、背もたれ位置の２本の脚５と、円孔３ａの近傍で、該背もたれ位置と直角位置にある１本の脚５は、座板フレーム３１の高さ位置より所定高さ上方に延長部５ａを延設し、その延長部５ａ上端に継手３５、３６によりＬ字形の手すり２を交差方向、この実施例では延長部５ａに直角方向に取り付けて背もたれ部２ａを形成している。
なお、第２実施例を図示した図２や第３実施例を図示した図３のように、背もたれ部２ａを取り付けなくても良い。
【００１７】
また、回転板４は、第５実施例を図示した図８のように、その上面を座板３上面の高さよりやや突出させて配置しても良い。これは、障害者等が座面に座った状態で回転板上で体を回転させる時、下肢が不自由で足を持ち上げられない人等の場合は、腿の裏を座板３の縁に擦ることが多いので、回転板４の上面を座板３上面の高さよりやや突出させて回転板４２の回転を妨げないようにしている。
また、第１実施例を図示した図１のように、回転板４の上面を座板３上面の高さと同じ高さに設定した場合は、段差がなくなるので、人が乗り移る場合には乗り移りがスムーズにできる。この回転板４の高低は障害者の程度によって決定される。
【００１８】
【発明の効果】
本発明は、以下の効果を奏するものである。
（１）本発明の椅子は、回転部の構成を単純化し、かつ比較的安価に入手可能なパイプや継手等の構造材で組立てる構成としたことにより、従来の製品より安い価格で提供できる。
（２）椅子を構成するパイプや継手等の構造材は、自由にかつ簡単に変更可能な材料を使用しているため、身長や障害箇所や障害程度等の条件に対応して各個人に合わせて変更や加工ができる。
（３）椅子の手すりはＬ字状に形成し、座面の開放面積を広くしたことにより、利用者は乗り移りの際の空間が広く取れる。従って、被介護者や身体的障害者の行動範囲の自由度が大きくなる。
（４）回転部は脱着が簡単であるから、回転部を外せば座板の円孔から内部の汚れ等の掃除が楽にできる。
【図面の簡単な説明】
【図１】本発明の第１実施例における、背もたれ部を備えた回転板付き椅子の斜視図である。
【図２】本発明の第２実施例における、背もたれ部、回転軸支承部のない回転板付き椅子の斜視図である。
【図３】本発明の第３実施例における、背もたれ部のない回転板付き椅子の斜視図である。
【図４】本発明の第１実施例における、背もたれ部を備えた回転板付き椅子の分解斜視図である。
【図５】第１実施例における中央縦断面図である。
【図６】回転軸の一方端を脚部補強部の受け口に固定し、他端を受け口の軸受に挿着した実施例における中央縦断面図である。
【図７】本発明の第４実施例における回転板付き椅子の斜視図である。
【図８】本発明の第５実施例における回転支承部を省いた回転板付き椅子の斜視図である。
【図９】従来の実施例図である。
【符号の説明】
１　　　回転板付き椅子
１ａ　　椅子本体
２　　　手すり
２ａ　　背もたれ部
３　　　座板
３ａ　　円孔
３１　　座板フレーム
３２、３３、３４、３５、３６　　継手
３７　　取付具
４ａ　　回転部
４　　　回転板
４２　　回転軸
４２ａ　一方端
４３　　他端
４４　　取付具
４６　　パイプ
４７　　軸受
４８　　継手
４９　　受け口
５　　　脚
５１　　ゴムキャップ
５２　　連結部
６　　　脚部補強部
６１　　第１継手
６２、６２ａ　　中央継手
６４　　受け口
６５　　下パイプ
７　　　回転軸支承部
７１　　第２継手
７２　　継手
７３　　貫通孔
７５　　上パイプ
【図１】
2004141513.tif 000003
【図２】
2004141513.tif 000004
【図３】
2004141513.tif 000005
【図４】
2004141513.tif 000006
【図５】
2004141513.tif 000007
【図６】
2004141513.tif 000008
【図７】
2004141513.tif 000009
【図８】
2004141513.tif 000010
【図９】
2004141513.tif 000011